(57)【要約】      （修正有）【課題】使用者が背負いベルトを肩に掛けたり、引っ張ったりするときに、背負いベルトに掛かる力によって、背当て部の上部に設けられた連結体、その連結体に固設されている取付環、及び合成樹脂板に相当する部材が変形及び破損しないように、それらに掛かる応力を緩和することができる背負いベルト取付具を提供する。【解決手段】鞄本体Ｒに固設される背当て部Ｔの上部に設けられた取付具本体と、前記取付具本体に挟持された一対の連結体３と、連結体３の上部に設けられた取付環４と、取付環４の上辺部に回動自在に設けられ、背負いベルトＢに取り付けられる取付部材５を備える。【選択図】図１
0003211784.tif 000002
【実用新案登録請求の範囲】
【請求項１】
鞄本体（Ｒ）に固設される背当て部（Ｔ）の上部に設けられた取付具本体（２）と、
前記取付具本体（２）に挟持された一対の連結体（３）と、
前記連結体（３）の上部に設けられた取付環（４）と、
前記取付環（４）の上辺部（４１）に回動自在に設けられ、背負いベルト（Ｂ）に取り付けられる取付部材（５）を備えることを特徴とする背負いベルト取付具（１）。
【請求項２】
前記取付部材（５）が表裏板体（５１１、５１２）を嵌着自在としたものとしており、前記表裏板体（５１１、５１２）の一方又は他方の少なくともいずれかの内面には、略円柱形状である前記上辺部（４１）を遊嵌する曲面状の遊嵌凹部（５１１ａ、５１２ａ）が設けられていることを特徴とする請求項１に記載の背負いベルト取付具（１）。
【請求項３】
前記取付部材（５）は、表裏板体（５１１、５１２）の上辺又は下辺のいずれか一方の一部または全部の間にヒンジ（５１３）を設けたことを特徴とする請求項１又は請求項２に記載の背負いベルト取付具（１）。
【請求項４】
前記取付部材（５）が合成樹脂からなることを特徴とする請求項１から請求項３のいずれかに記載の背負いベルト取付具（１）。
【請求項５】
前記取付部材（５）の表裏板体（５１１、５１２）に、前記取付部材（５）を貫通するリベット孔（５１４）が穿設されていることを特徴とする請求項４記載の背負いベルト取付具（１）。
【考案の詳細な説明】
【技術分野】
【０００１】
本考案は、ランドセルなどの背負い鞄に取り付ける背負いベルトの取付具に関するものである。に関する。
【背景技術】
【０００２】
従来、ランドセルなどの使用者が背中に背負って使用する背負い鞄において、背負いベルトの取付け構造として、背かんの上部に設けられた環状の部材と、その部材の一辺に設けられ背負いベルトに取り付けられる部材が設けられたものが存在した。
【０００３】
例えば、特許文献１には、鞄本体に固設される背当て部の上部に設けられた一対の連結体の上部に、上方に向いた状態で背負いベルトに取付けられる取付環と、その取付環の上辺部及びその上辺部から突設された屈曲部に取り付けられるようにした合成樹脂板とを備えた取付具が開示
されている。
【先行技術文献】
【特許文献】
【０００４】
【特許文献１】実用新案登録第３２０６４５５号公報
【考案の概要】
【考案が解決しようとする課題】
【０００５】
しかしながら、先行特許文献１に記載の取付具では、使用者が背負いベルトを肩に掛けたり、引っ張ったりするときに、背負いベルトに掛かる力により、連結体に固設されている取付環や合成樹脂板に負荷が掛かり長年の使用により変形したり破損したりするおそれがあるという課題があった。
【０００６】
また、同様に、背負いベルトに掛かる力により、取付環が固設されている連結体に負荷が掛かり長年の使用により変形したり破損したりするおそれがあるという課題があった。
【０００７】
そのため、本考案において、使用者が背負いベルトを肩に掛けたり、引っ張ったりするときに、背負いベルトに掛かる力によって、背当て部の上部に設けられた連結体、その連結体に固設されている取付環、及び合成樹脂板に相当する部材が変形及び破損しないように、それらに掛かる応力を緩和することができる背負いベルト取付具を提供することを目的とする。
【課題を解決するための手段】
【０００８】
〔１〕すなわち、本考案は、鞄本体（Ｒ）に固設される背当て部（Ｔ）の上部に設けられた取付具本体（２）と、前記取付具本体（２）に挟持された一対の連結体（３）と、
前記連結体（３）の上部に設けられた取付環（４）と、前記取付環（４）の上辺部（４１）に回動自在に設けられ、背負いベルト（Ｂ）に取り付けられる取付部材（５）を備えることを特徴とする背負いベルト取付具（１）である。
【０００９】
〔２〕そして、前記取付部材（５）が表裏板体（５１１、５１２）を嵌着自在としたものとしており、前記表裏板体（５１１、５１２）の一方及び他方の少なくともいずれかの内面には、略円柱形状である前記上辺部（４１）を遊嵌する曲面状の遊嵌凹部（５１１ａ、５１２ａ）が設けられていることを特徴とする前記〔１〕に記載の背負いベルト取付具（１）である。
【００１０】
〔３〕そして、前記取付部材（５）は、表裏板体（５１１、５１２）の上辺又は下辺のいずれか一方の一部または全部の間にヒンジ（５１３）を設けたことを特徴とする前記〔１〕又は前記〔２〕に記載の背負いベルト取付具（１）である。
【００１１】
〔４〕そして、前記取付部材（５）が合成樹脂からなることを特徴とする前記〔１〕から前記〔３〕のいずれかに記載の背負いベルト取付具（１）である。
【００１２】
〔５〕そして、前記取付部材（５）の表裏板体（５１１、５１２）に、前記取付部材（５）を貫通するリベット孔（５１４）が穿設されていることを特徴とする前記〔４〕に記載の背負いベルト取付具（１）である。
【考案の効果】
【００１３】
本考案の背負いベルト取付具によれば、使用者が背負いベルトを肩に掛けたり、引っ張ったりするときに、背負いベルトに掛かる力によって、背当て部の上部に設けられた連結体、その連結体に固設されている取付環、及び合成樹脂板に相当する部材が変形及び破損しないように、それらに掛かる応力を緩和することができる。
【図面の簡単な説明】
【００１４】
【図１】本考案の一実施例における背負いベルト取付具を鞄本体の背当て部に取り付けた状態の正面図である。
【図２】本考案の一実施例における背負いベルト取付具の正面図である。
【図３】本考案の一実施例における背負いベルト取付具の分解斜視図である。
【図４】本考案の一実施例における背負いベルト取付具の平面図である。
【図５】本考案の一実施例における背負いベルト取付具の取付部材について止着後の状態を示す正面側からの斜視図である。
【図６】本考案の一実施例における背負いベルト取付具の取付部材について止着後の状態を示す背面側からの斜視図である。
【図７】本考案の一実施例における背負いベルト取付具の取付部材について止着前の状態を示す正面側からの斜視図である。
【考案を実施するための形態】
【００１５】
以下、本考案に係る背負いベルト取付具１に関する実施の形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。
【００１６】
本件出願において、上下方向は、図１及び図２における上下方向に対応するものである。
【００１７】
図１から図７は、本考案における背負いベルト取付具１の一実施例を示すものであり、鞄本体Ｒに取り付けた状態の正面図、背負いベルト取付具の正面図、分解斜視図、平面図、取付部材について止着前後の斜視図に関する図である。
【００１８】
図１に示すように、本考案の背負いベルト取付具１は、ランドセルなどの鞄本体Ｒの背当て部Ｔの上部の中央部に固着されており、この背当て部Ｔへ取り付けられる基部２１と、基部２１の空間部２１ａを塞いでおくための上蓋板２２とからなる取付具本体２と、基部２１と上蓋板２２の間に揺動自在に挟持された左右一対の連結体３、連結体３の上部に設けられた取付環４と、取付環４の上辺部４１に回動自在に設けられた取付部材５などを備えている。なお、前記背当て部Ｔの上部とは、背当て部Ｔの最上端または最上端から少し下がった位置のことをいう。
【００１９】
取付具本体２は、背負いベルト取付具１のうち鞄本体Ｒに固設される背当て部Ｔの上部に設けられる部材である。具体的には、取付具本体２は、背当て部Ｔに取り付けられる基部２１と、その基部２１の空間部２１ａを覆って、連結体３を挟持する上蓋板２２を有している。
【００２０】
連結体３は、取付具本体２に挟持された部材であり、本実施形態において合成樹脂成形体としている。そして、連結体３の上部には背負いベルトＢを取り付ける取付環４を鞄本体Ｒから上方に向いた状態で取り付けたものとしている。連結体３は、鏡像体の形状を有する一対として、取付具本体２にそれぞれ独立して揺動自在に設けられている。具体的には、それぞれの連結体３の下部を基部２１の空間部２１ａに収納し、それぞれの連結体３の下端に設けた軸孔３１を基部２１に設けた支軸２１ｂに軸支している。さらに、それぞれの連結体３の外側面を内方向に押し付ける略Ｖ字状のバネ６を基部２１の空間部２１ａに設け、連結体３をそれぞれ内方向に付勢している。連結体３は、このように取付具本体２を構成する基部２１と上蓋板２２により挟持されることにより、左右に独立して揺動することができ、使用者が背負うときに背負いベルトＢと肩との位置を調整することができる。なお、本実施形態において、連結体３は、左右に揺動自在である構成を有しているが、他の実施形態において、取付具本体２に固設され揺動不可能である構成とすることもできる。
【００２１】
取付環４は、連結体３の上部に設けられた部材であり、本実施形態において、金属線材からなり、金属線材を折り曲げて略三角形状としており、この略三角形状とした上辺部４１において背負いベルトＢが取り付けられる。そして、取付環４の上辺部４１が略円柱形状であり、この上辺部４１へ取付部材５を取り付けられるために、取付環４と取付部材５が、回動自在となっている。取付環４は、連結体３の上部に設けられているために、背当て部Ｔの左右方向に揺動自在となっており、使用者の体格に応じて左右方向に移動できるようにしている。
【００２２】
なお、取付環４を鞄本体Ｒから上方に向いた状態で取り付けるには、連結体３の上端部に形成した角形の挿入孔３２に回動不能に嵌入した角パイプＣに、取付環４の両端部を平坦にして回動不能に嵌入し、取付環４を連結体３の上端部に固定したものとしている。
【００２３】
取付部材５は、取付環４の上辺部４１に回動自在に設けられた部材であり、本実施形態において、表板体５１１及び裏板体５１２などから構成されている。表裏板体５１１、５１２の上辺側である先端部の内面には、取付環４の上辺部４１を遊嵌する曲面状の遊嵌凹部５１１ａ、５１２ａを設けることにより、取付環４の上辺部４１と取付部材５が互いに回動自在になり、そして、表裏板体５１１、５１２の下辺側である基端部の内面には、嵌着用凸体５１１ｂ、嵌着用凹体５１２ｂを設けることにより、表裏板体５１１、５１２を嵌着自在としたものとしている。取付環４に対して取付部材５を回動自在に設けることにより、使用者が背負いベルトＢを肩に掛けて鞄本体Ｒを背負ったときに取付部材５、取付環４及び連結体３に掛かる応力を緩和して変形及び破損しないようにすることができる。さらに、背負いベルトＢが鞄本体Ｒに対して立ち上がるために使用者の背中にフィットしやすく、使用者が背負いベルトＢを肩に掛けて鞄本体Ｒを背負ったときに軽く感じられるとともに、取付環４に対して取付部材５が回動することにより、より使用者の背中にフィットしやすくなる。また、取付環４に対して取付部材５を回動自在に設けることにより、背負いベルトＢに力が加わっても背負いベルトＢが取付部材５の上辺側で折り曲げられたりせず取付部材５とともに取付環４に対して回動するので背負いベルトＢの経年劣化を防止することができるし、取付部材５を回動させて背負いベルトＢを背当て部Ｔ側にコンパクト畳むことでランドセルなどの背負い鞄を収納する箱に収納しやすくすることができる。本実施形態において、取付環４の上辺部４１を遊嵌する部分が、表板体５１１、裏板体５１２の両方に設けられているが、他の実施形態において、取付環４の上辺部４１と取付部材５が互いに回動自在となる限りにおいて、取付環４の上辺部４１を遊嵌する部分が、表板体５１１、裏板体５１２のいずれか一方にだけ設けられており、他方は例えば平面状である構造とすることもできる。また、本実施形態において、表板体５１１に嵌着用凸体５１１ｂが設けられ、裏板体５１２に嵌着用凹体５１２ｂが設けられているが、他の実施形態において、表板体５１１に凹体が設けられ、裏板体５１２に凸体が設けられるようにすることもできる。
【００２４】
取付部材５において、表裏板体５１１、５１２の先端部は略同形状であるが、表板体５１１の先端部が裏板体５１２の先端部よりもより一回り小さくなっている。そして、表裏板体５１１、５１２を嵌着自在とするにあたり、これらの下辺の一部の間に表裏板体５１１、５１２を接続するヒンジ５１３を設けている。このヒンジ５１３は、表裏板体５１１、５１２を一体成形するときに同時成形した連結薄肉部としたり、別体として形成したヒンジ構造を後付けしたりすることができるし、上辺又は下辺のいずれか一方の一部又は全部の間に設けることもできる。さらに、取付部材５の表裏板体５１１、５１２には、両者を嵌着したときに、この取付部材５を貫通するリベット孔５１４を設けたものとしている。なお、ヒンジ５１３は、図示したように表裏板体５１１、５１２のそれぞれの基端部の間に設けたものとするのが、後に述べるように取付環４の上辺部４１に、表裏板体５１１、５１２の何れかの遊嵌凹部５１１ａ、５１２ａを遊嵌させる場合に、このヒンジ５１３が邪魔になることなく合致させることができるので好ましい。
【００２５】
取付部材５の材質は、合成樹脂であることが好ましく、ポリエチレンテレフタレート、ポリエチレンテレブタレート、ポリアセタール、ポリアミド、ポリカーボネート、ポリエチレン、ポリプロピレン、ＡＢＳなどであることが好ましい。取付部材５の材質は、合成樹脂であると、背負いベルト取付具１を軽量化できるとともに、使用者の背中に背負いベルトＢが当接したときに異物感を感じにくくすることができる。
【００２６】
また、背負いベルトＢは、厚手の皮革地や合成樹脂地からなり、上端部には必要に応じて、合成樹脂板や弾性金属板などの弾性部材を挟み込んだものとして、取付環４に取り付けられた場合に、この上端部が上方に向いた状態を維持し易いようにしておくのが好ましい。
【００２７】
以上のように構成されたこの考案の取付部材５は、図７に示したように、背負いベルト取付具１の取付環４の上辺部４１に、裏板体５１２に設けた遊嵌凹部５１２ａを遊嵌させ、ヒンジ５１３から折り返して、嵌合凹部５１１ａが設けられた表板体５１１を重ね合わせる。このとき、裏板体の嵌着用凹体５１２ｂに、表板体５１１の嵌着用凸体５１１ｂを嵌め込んで、図５及び図６に示すように、それぞれ位置ずれしないように嵌着した状態とする。そして、図１、図２に示したように、リベット孔５１４にリベットＲｖを貫通させてリベット止めする。なお、表裏板体５１１、５１２をヒンジ５１３で連結していないものでは、背負いベルト取付具１の取付環４の上辺部４１に、表裏板体５１１、５１２に設けた遊嵌凹部５１１ａ、５１２ａを遊嵌させ、嵌着用凸体５１１ｂを、他方の嵌着用凹体５１２ｂに嵌め込んで位置ずれしないようにしてから、リベット孔１４にリベットＲｖを貫通させてリベット止めすればよい。
【００２８】
そして、背負いベルト取付具１は、図３に示すように、上蓋板２２に設けられたリベット孔２２ａから基部２１に設けられたリベット孔２１ｃにリベットＲｖを貫通させ、鞄本体Ｒの背当て部Ｔの裏側に取り付けられる止板（図示せず）にリベット止めしたものとしている。
【００２９】
さらに、背負いベルト取付具１に背負いベルトＢを取り付けるには、図１に示すように、ベルト端部を取付環４に通してから折り返して、取付部材５に重ね合わせるようにして保持させて、背負いベルトＢに設けられたリベット孔（図示せず）にリベットＲｖを貫通させて、リベット止めしたものとしている。
【符号の説明】
【００３０】
１・・・背負いベルト取付具
２・・・取付具本体
２１・・・基部
２１ａ・・・空間部
２１ｂ・・・支軸
２１ｃ・・・リベット孔
２２・・・上蓋板
２２ａ・・・リベット孔
３・・・連結体
３１・・・軸孔
３２・・・挿入孔
４・・・連結環
４１・・・上辺部
５・・・取付部材
５１１・・・表板体
５１１ａ・・・遊嵌凹部
５１１ｂ・・・嵌着用凸体
５１２・・・裏板体
５１２ａ・・・遊嵌凹部
５１２ｂ・・・嵌着用凹体
５１３・・・ヒンジ
５１４・・・リベット孔
６・・・バネ
Ｒ・・・鞄本体
Ｔ・・・背当て部
Ｂ・・・背負いベルト
Ｃ・・・角パイプ
Ｒｖ・・・リベット
【図１】
0003211784.tif 000003
【図２】
0003211784.tif 000004
【図３】
0003211784.tif 000005
【図４】
0003211784.tif 000006
【図５】
0003211784.tif 000007
【図６】
0003211784.tif 000008
【図７】
0003211784.tif 000009